(57)【要約】【課題】街や施設内の移動において撮影される建物、店舗、売場等の映像にリンクをはり、そのリンクから、建物、店舗、売場等に関連するホームページやライブカメラをＷｅｂ表示可能とする。【解決手段】映像レイヤーリンク対応映像誘導システムは、インターネットを介して互いに接続された複数の利用者端末１とレイヤーリンク対応映像誘導サーバー２とから構成され、レイヤーリンク対応映像誘導サーバー２は、映像データベース部６と、映像データを再生する映像再生部７と、リンクレイヤーを記憶するレイヤーデータベース部８と、映像再生画面の再生映像に同期したレイヤーの一定範囲にリンクを可能とするレイヤーリンク処理部１０と、レイヤー再生部１２と、映像再生とレイヤー表示を同一表示枠内に同時に表示可能とする同期再生出力処理部１３とを備えている。【選択図】図１
2005316914.tif 000002
【特許請求の範囲】
【請求項１】
複数の利用者端末と、該複数の利用者端末に通信ネットワークを介して接続されたレイヤーリンク対応映像誘導サーバーを有する映像レイヤーリンク対応映像誘導システムであって、
前記レイヤーリンク対応映像誘導サーバーは、
映像データを記憶する映像データベース部と、
前記映像データに対応するリンクデータを記憶したレイヤーデータベース部と、
前記映像データ及び該映像データに対応するリンクデータを検索するデータ検索部と、
該映像データを再生する映像再生部と、
該映像データを再生した映像フレームに同期したレイヤーフレームの一定範囲にリンクを付与するレイヤーリンク処理部と、
リンクの付与されたリンクレイヤーを再生するレイヤー再生部と、
映像フレームとリンクレイヤーを同一表示フレーム内に同期して表示可能とする同期再生出力処理部と、
Ｗｅｂ表示処理部と、
を備えており、
前記端末は、前記映像に同期したリンクレイヤーのリンクを実行し、Ｗｅｂ表示部に表示可能であることを特徴とする映像レイヤーリンク対応映像誘導システム。
【請求項２】
前記レイヤー再生部で再生されるリンクレイヤーは、前記映像再生部で再生される映像フレームと同期されるように生成されていることを特徴とする請求項１の映像レイヤーリンク対応映像誘導システム。
【請求項３】
前記レイヤーリンク処理部は、映像フレームの特定範囲に同期してリンク用レイヤーフレームの特定範囲にリンクを付与し、データ管理を可能とすることを特徴とする請求項１又は２記載の映像レイヤーリンク対応映像誘導システム。
【請求項４】
前記レイヤーリンク処理部は、前記映像フレームの特定範囲に同期してはられるリンクを、リンク用レイヤーの前記特定範囲に対応する範囲にマークを付与することによりその存在を確認することを可能とすることを特徴とする請求項１、２又は３記載の映像レイヤーリンク対応映像誘導システム。
【請求項５】
前記Ｗｅｂ表示部は、Ｗｅｂ画面上の特定の範囲に映像とリンクレイヤーを同時に表示するとともに、再生する映像の視認範囲の変更、並びに再生のスピード調整、巻き戻し及び停止を行う制御を可能とし、通信を介して閲覧する利用者のＷｅｂ画面に表示可能であることを特徴とする上記請求項１、２、３又は４記載の映像レイヤーリンク対応映像誘導システム。
【請求項６】
前記データ検索部で検索され、Ｗｅｂ画面上に表示可能とする図面を記憶する図面データベース部と、
前記利用者端末から操作可能であり、出発地から目的地までの図面上の最短距離を計算し進行経路を確定する経路処理部と、
前記図面上の進行経路表示及び前記誘導印の表示を生成するとともに、該誘導印の図面経路上の動作、進行速度及び経路移動方向の制御を可能とする図面誘導処理部と、
前記映像再生部における映像再生の進行、停止及び後退と、前記図面誘導処理部における誘導印の図面経路上の動作と進行速度を同期させる映像再生時間同期部と、
該図面誘導処理部で生成された進行経路表示及び誘導印の表示を、該図面データ処理部からの図面上に付与する図面同期処理出力部と、
を有することを特徴とする上記請求項１、２、３又は５記載の映像レイヤーリンク対応映像誘導システム。
【請求項７】
前記図面誘導処理部は、利用者端末からの操作により、前記データ検索部を動作させて、図面データベースから所望の図面データを検索して図面データ処理部に送ることができることを特徴とする請求項６記載の映像レイヤーリンク対応映像誘導システム。
【請求項８】
前記Ｗｅｂ表示処理部に、方向同期部、映像視認範囲処理部及び図面同期処理出力部が順次直列して接続され、映像再生画面における全方位再生映像の一定方向の映像視認範囲を表示し、再生される方向を変更処理することを可能とし、
前記方向同期部は、前記Ｗｅｂ表示処理部からの映像再生画面の映像視認範囲の再生方向変更データを受け、
前記映像視認範囲処理部は、前記方向同期部からの前記映像視認範囲の再生方向変更データに対応して、前記誘導印を基点として映像再生画面の視認範囲と映像の視認方向を表示する扇型視認範囲データを生成し、
前記図面同期処理出力部は、前記扇型視認範囲データを、図面データ処理部からの図面データと図面誘導処理部からの経路データ及び誘導印に同期して付与し前記Ｗｅｂ表示処理部に送り、誘導印が図面上の経路を進行しながら映像の再生されている方向と視認範囲を図面上に表示することを可能とすることを特徴とする上記請求項７記載の映像レイヤーリンク対応映像誘導システム。
【請求項９】
前記映像再生部に時間制御部が接続されており、該時間制御部に、音声処理部と文字情報処理部がそれぞれ接続されており、前記映像データ記憶部で検索される映像データに対応する音声データ及び文字データをそれぞれ記憶する音声データベース部と文字データベース部とが設けられており、
前記音声処理部及び文字情報処理部は、前記時間制御部で制御され、前記映像再生部の再生時刻に同期して、前記音声データベース及び文字データベースから抽出した前記音声データ及び文字データをＷｅｂ表示処理部に送り、リンク付き映像データとともに利用者端末で利用可能とすることを特徴とする上記請求項１〜８のいずれかに記載の映像レイヤーリンク対応映像誘導システム。
【発明の詳細な説明】
【技術分野】
【０００１】
本発明は、インターネット等の通信回線を利用し、街路（道路）の走行や百貨店の売場通路を回遊して予め撮影された映像データにリンクをはることを可能とし、街路や売場通路を映像で誘導しながら、映像上の建物、店舗、売場等のリンクにより、それらのホームページに自動的にアクセス可能であり、或いはそれらについてのウェブカメラのライブ映像表示画面を見ることが可能な映像誘導システムに関するものである。
【背景技術】
【０００２】
近年、インターネット等の通信回線が発達した社会において、インターネット等を介して映像を配信するシステムが利用されている。インターネットのＷｅｂ上で、地図上を誘導しながら道路の走行映像を再生することを可能とするシステムは公知である。
【０００３】
そして、本出願人は、映像の再生と地図や建物の構図を連動させて、映像で施設や街を回遊する映像地図誘導システムを既に開発している。また、映像にリンクをはる言語は既に存在する。また、近年、インターネット等の通信回線が発達した社会において、インターネット等を介した買物システムが利用されている。
【０００４】
店舗等の販売側のサイトに、ウェブカメラ等のカメラを設け、このカメラで商品を撮影し、その商品の映像をリアルタイムで、インターネット等に接続された利用者端末に送り、利用者は、その商品映像を見ながら商品の購入を可能とする商品販売のためのシステムが公知である（特許文献１、２参照）
【特許文献１】特開２００３−３３１１５２号公報
【特許文献２】特開２００３−２９６４２１号公報
【発明の開示】
【発明が解決しようとする課題】
【０００５】
しかしながら、街路や施設内の移動において撮影される映像にリンクを張り、その施設のホームページやライブカメラにアクセス可能とするシステムは存在しない。
【０００６】
そこで、本発明は、実写映像により街路や施設を回遊しその映像上に映し出される店舗や売場のＷｅｂカメラを実際に見ることを可能することで、よりリアルな疑似体験やショッピングを可能とすることを課題とするものである。さらに、本発明は、次の点を課題とする。
【０００７】
全方位撮影映像や通行路側面撮影映像にリンクをはるようにする。即ち、道路走行中の道路側面映像の再生や百貨店の売場を回遊する映像再生時に道路側面の店舗や百貨店の売場の映像が現れた場合に、その映像上に映し出されている店舗の部分や売場のホームページやＷｅｂカメラのＷｅｂページにリンクが張られ、押すとその店舗や売場のホームページやライブカメラ画面を表示することを可能とする。
【０００８】
映像は、全方位映像又は通路進行方向の側面映像の場合に対応し、走行時に撮影した映像画面の特徴としては、被写体の横への移動については、道路や店舗内を移動（進行）しながら撮影した側面映像は、被写体が映像の再生にあわせ映像再生画面に現れ、時間の経過とともに再生画面から消えるものとする。
【０００９】
側面を撮影する映像は、再生画面上で被写体の大きさは基本的に一定で横に移動するだけである。全方位映像における側面映像も同様である。さらに、映像は、其の画像のフレーム数とする。
【００１０】
映像とレイヤーの再生に同期して図面上の経路誘導を可能とし、経路を自由に選択することにより任意の地点から経路を選択可能とする。また、経路の案内及び経路上にある対象物を音声で案内することを可能とする。さらに、レイヤーに含まれる対象物の名称等のメタデータを検索し、そのデータが含まれる映像フレームからの再生を可能とする。地図誘導もその映像と同期した地点から誘導が開始される。
【課題を解決するための手段】
【００１１】
本発明は上記課題を解決するために、複数の利用者端末と、該複数の利用者端末に通信ネットワークを介して接続されたレイヤーリンク対応映像誘導サーバーを有する映像レイヤーリンク対応映像誘導システムであって、前記レイヤーリンク対応映像誘導サーバーは、映像データを記憶する映像データベース部と、前記映像データに対応するリンクデータを記憶したレイヤーデータベース部と、前記映像データ及び該映像データに対応するリンクデータを検索するデータ検索部と、該映像データを再生する映像再生部と、該映像データを再生した映像フレームに同期したレイヤーフレームの一定範囲にリンクを付与するレイヤーリンク処理部と、リンクの付与されたリンクレイヤーを再生するレイヤー再生部と、映像フレームとリンクレイヤーを同一表示フレーム内に同期して表示可能とする同期再生出力処理部と、Ｗｅｂ表示処理部と、を備えており、前記端末は、前記映像に同期したリンクレイヤーのリンクを実行し、Ｗｅｂ表示部に表示可能であることを特徴とする映像レイヤーリンク対応映像誘導システムを提供する。
【００１２】
前記レイヤー再生部で再生されるリンクレイヤーは、前記映像再生部で再生される映像フレームと同期されるように生成されていることを特徴とする。
【００１３】
前記レイヤーリンク処理部は、映像フレームの特定範囲に同期してリンク用レイヤーフレームの特定範囲にリンクを付与し、データ管理を可能とすることを特徴とする。
【００１４】
前記レイヤーリンク処理部は、前記映像フレームの特定範囲に同期してはられるリンクを、リンク用レイヤーの前記特定範囲に対応する範囲にマークを付与することによりその存在を確認することを可能とすることを特徴とする。
【００１５】
前記Ｗｅｂ表示部は、Ｗｅｂ画面上の特定の範囲に映像とリンクレイヤーを同時に表示するとともに、再生する映像の視認範囲の変更、並びに再生のスピード調整、巻き戻し及び停止を行う制御を可能とし、通信を介して閲覧する利用者のＷｅｂ画面に表示可能であることを特徴とする。
【００１６】
前記データ検索部で検索され、Ｗｅｂ画面上に表示可能とする図面を記憶する図面データベース部と、前記利用者端末から操作可能であり、出発地から目的地までの図面上の最短距離を計算し進行経路を確定する経路処理部と、前記図面上の進行経路表示及び前記誘導印の表示を生成するとともに、該誘導印の図面経路上の動作、進行速度及び経路移動方向の制御を可能とする図面誘導処理部と、前記映像再生部における映像再生の進行、停止及び後退と、前記図面誘導処理部における誘導印の図面経路上の動作と進行速度を同期させる映像再生時間同期部と、該図面誘導処理部で生成された進行経路表示及び誘導印の表示を、該図面データ処理部からの図面上に付与する図面同期処理出力部と、を有することを特徴とする。
【００１７】
前記図面誘導処理部は、利用者端末からの操作により、前記データ検索部を動作させて、図面データベースから所望の図面データを検索して図面データ処理部に送ることができることを特徴とする。
【００１８】
前記Ｗｅｂ表示処理部に、方向同期部、映像視認範囲処理部及び図面同期処理出力部が順次直列して接続され、映像再生画面における全方位再生映像の一定方向の映像視認範囲を表示し、再生される方向を変更処理することを可能とし、前記方向同期部は、前記Ｗｅｂ表示処理部からの映像再生画面の映像視認範囲の再生方向変更データを受け、前記映像視認範囲処理部は、前記方向同期部からの前記映像視認範囲の再生方向変更データに対応して、前記誘導印を基点として映像再生画面の視認範囲と映像の視認方向を表示する扇型視認範囲データを生成し、前記図面同期処理出力部は、前記扇型視認範囲データを、図面データ処理部からの図面データと図面誘導処理部からの経路データ及び誘導印に同期して付与し前記Ｗｅｂ表示処理部に送り、誘導印が図面上の経路を進行しながら映像の再生されている方向と視認範囲を図面上に表示することを可能とすることを特徴とする。
【００１９】
本発明は上記課題を解決するために、前記映像再生部に時間制御部が接続されており、該時間制御部に、音声処理部と文字情報処理部がそれぞれ接続されており、前記映像データ記憶部で検索される映像データに対応する音声データ及び文字データをそれぞれ記憶する音声データベース部と文字データベース部とが設けられており、前記音声処理部及び文字情報処理部は、前記時間制御部で制御され、前記映像再生部の再生時刻に同期して、前記音声データベース及び文字データベースから抽出した前記音声データ及び文字データをＷｅｂ表示処理部に送り、リンク付き映像データとともに利用者端末で利用可能とすることを特徴とする上記請求項１〜８のいずれかに記載の映像レイヤーリンク対応映像誘導システムを提供する。
【発明の効果】
【００２０】
本発明は上記解決手段により、通信を介して街や施設を実写映像により回遊しその映像上に映し出される店舗や売場のＷｅｂカメラを実際に見ることを可能としよりリアルな疑似体験やショッピングを可能にすることができる。
【００２１】
そして、デパートの店内を映像で誘導し、ライブカメラや詳細な商品ページを表示することを可能とするほか、街の景観を映像で閲覧しその建物や土地情報の詳細をホームページで確認することもできる。
【００２２】
さらに、本発明では、全方位撮影映像や通行路側面撮影映像にリンクをはることにより、  道路走行中の道路側面映像の再生や百貨店の売場を回遊する映像再生時に道路側面の店舗や百貨店の売場の映像が現れた場合に、その映像上に映し出されている店舗の部分や売場のホームページやＷｅｂカメラのＷｅｂページにリンクが張られ、押すとその店舗や売場のホームページやライブカメラ画面を表示もできる。
【００２３】
さらに、映像とレイヤーの再生に同期して図面上の経路誘導（地図誘導）ができ、この経路を自由に選択することにより、任意の地点から経路を選択可能とする。なお、地図誘導もその映像と同期した地点から誘導が開始される。また、経路の案内及び経路上にある対象物を音声や文字データで案内することを可能となる。さらに、レイヤーに含まれる対象物の名称等のメタデータを検索しそのデータが含まれる映像フレームからの再生が可能となる。
【発明を実施するための最良の形態】
【００２４】
本発明に係る映像レイヤーリンク対応映像誘導システムを実施するための最良の形態を実施例に基づき図面を参照して、以下説明する。
【実施例】
【００２５】
図１は、本発明に係るレイヤーリンク対応映像誘導システムの全体構成を示すブロック図である。本発明に係る映像レイヤーリンク対応映像誘導システムは、複数の利用者端末１と、複数の利用者端末１と通信回線（本発明では、「インターネット」を利用するが、他の「通信回線」でもよい。）で接続されたレイヤーリンク対応映像誘導サーバー２とから構成される。
【００２６】
利用者端末１は、通常のパソコン端末であり、入力部３（レイヤーリンク対応映像誘導サーバー２に対して操作信号等を入力して送信する機能を有する部分。）、出力部４（レイヤーリンク対応映像誘導サーバー２から出力された映像データ等各種のデータを受信する機能を有する部分。）、出力部４からの画像データ等を表示するＷｅｂ表示部５（Ｗｅｂデータを表示する表示装置）等を備えている。
【００２７】
図１において、レイヤーリンク対応映像誘導サーバー２は、映像データベース部６、映像再生部７、レイヤーデータベース部８、データ検索部９、レイヤーリンク処理部１０、レイヤー再生部１２、同期再生出力処理部１３、映像再生時間同期部１４、時間制御部１５、音声処理部１６、音声データベース部１７、文字情報処理部１８、文字データベース部１９、Ｗｅｂ表示処理部２０、図面データベース部２１、図面データ処理部２２、図面誘導処理部２３、図面同期処理出力部２４、方向同期部２５、映像視認範囲処理部２６、及び経路処理部３９から構成される。
【００２８】
映像データベース部６には、いろいろな現場の映像データ（映像データファイル）が、データベース化されて記憶されている。現場の映像データとは、ある地域の所定の区間の道路（ブロック）沿いの建物や店舗、デパート内の売り場等の情景を撮影して得た映像データである。このような映像データは、例えば、所定の道路に沿いに進行しながら、側方（横方向）にカメラを向けて撮影して得た映像データである。例えば、東京の銀座通りを新橋方向に進行して右側の店舗街を撮影して得られる映像データのようなものである。なお、全方位カメラで撮影して得た、全方位の映像データでもよい。
【００２９】
レイヤーデータベース部８には、映像データにはられるリンク（「ハイパーリンク」とも言う。）のデータ（リンクデータ）がデータベース化されて記憶されている。映像データファイル（一連の映像データ）に対してリンクデータは、後述するが、一定の対応関係ではられる。レイヤーデータベース部８には、映像データにはられるリンクデータが、映像との対応関係も含めて記憶されている。
【００３０】
なお、リンクデータ自体の作成は、本発明の要旨とする技術ではないので、説明は省略するが、本発明におけるリンクデータは、本発明に係るシステムとは別途、映像再生に合わせて手動により（あたかも映像に合わせて音声を入れるいわゆるアフレコのように作業が行われる。）又は自動処理ソフトにより作成される。
【００３１】
データ検索部９は、利用者端末１からＷｅｂ表示処理部２０を介して送られる所望の映像データ（例．「銀座通り」の映像データ）の選択指令信号を受けると、この選択指令信号に基づいて、選択指令に対応する映像データファイル、リンクデータファイル、音声データファイル、文字データファイル、図面データファイル（地図データファイル）を検索するための検索指令信号を、映像データベース部６、レイヤーデータベース部８、音声データベース部１７、文字データベース部１９、図面データベース部２１にそれぞれ送る。
【００３２】
映像データベース部６は、検索された所望の映像データファイル（例．銀座通り）を映像再生部７に送る。これを受けて、映像再生部７は、映像データファイルの一連の映像データを映像フレームとして再生し、同期再生出力処理部１３に送る。
【００３３】
レイヤーデータベース部８では、データ検索部９からの検索指令信号に基づいて所望のリンクデータファイルが検索され、このリンクデータファイルは、レイヤーリンク処理部１０に送られる。
【００３４】
レイヤーリンク処理部１０は、このリンクデータファイルのリンクデータをレイヤーの所定の範囲（映像データのリンクの張られる範囲に対応する範囲）に付与する。なお、このレイヤーは、映像データのレイヤーとは異なるレイヤーである。なお、レイヤーリンク処理部１０は、映像フレームの特定範囲に同期する個別レイヤーの特定範囲（例．ある特定の建物）にリンクをはり、それをマーク表示して、はられたリンクの存在を確認可能な構成としてもよい。
【００３５】
レイヤーリンク処理部１０でリンクデータが付与されたリンクレイヤーデータは、レイヤー再生部１２に送られる。レイヤー再生部１２は、リンクレイヤーデータをリンクレイヤーフレームとして再生し、同期再生出力処理部１３に送る。
【００３６】
同期再生出力処理部１３は、再生された映像フレームに同期して、対応するリンクレイヤーフレームを重ね合わせ（映像データに同期しリンクレイヤーデータを付与し）、リンクデータのはられたリンク付き映像データを作成する。
【００３７】
音声データベース部１７は、映像データベース部６に記憶されている映像データファイルに対応した音声データファイルがデータベース化されて記憶されている。ここで、音声データとは、映像として映し出される道路、道路側方の建物や店舗、或いは売り場等の案内をする音声データである。そして、データ検索部９からの選択指令に基づいて音声データベース部１７から音声データファイルを抽出して音声処理部１６に送る。
【００３８】
同様に、文字データベース部１９は、映像データベース部６に記憶されてる映像データファイルの映像データに対応した文字データファイルがデータベース化されて記憶されている。ここで、文字データとは、映像として映し出される道路、道路側方の建物や店舗、或いは売り場等の案内文となる文字である。そして、データ検索部９からの選択指令に基づいて文字データベース部１９から文字データを抽出して文字情報処理部１８に送る。
【００３９】
時間制御部１５は、映像再生部７からの同期信号（計時信号）に基づいて、音声処理部１６と文字情報処理部１８をそれぞれ制御して、リンク付き映像データに同期するように、音声データと文字データをＷｅｂ表示処理部２０に送る。
【００４０】
時間制御部１５の時間の設定は、各映像ファイルの再生始点を基準に経過時間（画像フレーム数）の設定を可能とし、各映像ファイルの再生時に経過時間に対して音声処理部１６と文字情報処理部１８をそれぞれ制御する。例えば、映像ファイルの再生において、目標となるリンク被写体までの時間１０秒（１５０コマ数）とすると５秒（７５コマ数）に音声データと文字データをＷｅｂ表示処理部２０に送ることが可能である。
【００４１】
図面データベース部２１は、映像データファイルに対応する現場の図面（地区、道路のブロック、デパートの売り場内などについての地図、経路図、案内図、屋内図）をデータベース化したものである。そして、図面データベース部２１では、データ検索部９からの検索指令信号を受けて、選択された映像データファイルに対応する図面データファイルを抽出し、図面データ処理部２２に送る。   
【００４２】
図面誘導処理部２３は、利用者端末１の入力部３に入力された利用者の操作信号に基づき、図面（地図、経路図、案内図、屋内図等）上での進行地点を表示するマーク（これを「誘導印」という。）を表示する信号を生成するとともに、この誘導印の図面上の進行経路（これを「図面経路」という。）上での進行速度も含めていろいろな動作状態（例えば、進行動作、後退動作、停止動作、経路の選択動作、進行方向の変更動作など）を制御する信号（誘導印の表示動作信号）を生成する。そして、これらの信号を映像再生時間同期部１４からの同期信号により映像再生部７の映像と同期させて、これを図面同期処理出力部２４に送る。
【００４３】
図面同期処理出力部２４は、図面データベース部２１から送られる図面データに、図面誘導処理部２３から送られた誘導印の表示動作信号（誘導印を表示し、誘導印の進行動作、後退動作、停止動作、経路の選択動作、進行方向の変更動作の動作に係る信号）を付与し、これにより、図面上に、誘導印の表示動作信号を付与した図面データ（これを「誘導印付き図面データ」という。）を生成し、Ｗｅｂ表示処理部２０に送る。  
【００４４】
経路処理部３９は、利用者端末で選択された出発地（Ａ地点）と目的地（Ｃ地点）（図７参照）の選択指令に基づき、図面データベース部２１の経路ブロック別の地点データベース（Ａ地点とＣ地点等地点に係る座標の数値データ）を利用して、Ａ地点からＣ地点に向かうときの最短距離と方向を計算する。この計算結果に基づいて、経路処理部３９は、進行経路（通過経路の道のり表）を確定し、確定した進行経路データを、経路処理部３９から図面誘導処理部２３に送る。
【００４５】
映像データが全方位映像データ（撮影地点からその周囲３６０°の映像が撮影できるカメラで取得した映像データ）の場合には、利用者端末１の入力部３におけるマウス操作により全方位映像データの一部を選択する操作信号をＷｅｂ表示処理部２０を介して映像再生部７に送るとともに、方向同期部２５に送る。映像再生部７ではその一部（周囲３６０°の再生映像の再生画面枠内に再生される映像）が再生される。映像が最初に再生される時点では、全方位映像の進行方向（撮影の際に進行している方向）の正面映像である。
【００４６】
全方位映像における再生映像の方向を変更する場合には、利用者端末１の入力部３におけるマウス操作により操作信号をＷｅｂ表示処理部２０を介して方向同期部２５に送り、方向同期部２５は、映像再生部７へ変更された方向の再生画面で再生された全方位映像の一部の映像を横方向（周方向）にずらして、映像画面を選択的に変えることができる。
【００４７】
方向同期部２５では、利用者端末１で選択された全方位映像のうち一部映像に対応する方向データを計算して確定し、映像視認範囲処理部２６に送る。映像視認範囲処理部２６は、この方向データに基づき一定の視認角度の範囲（扇型視認範囲）に絞り込み、その範囲に対応する視認地点（誘導印付き図面データと同期された場合には誘導印の地点）を基点として、映像再生画面の視認範囲と映像の視認方向を表示する扇型視認範囲をデータ生成し、この扇型視認範囲のデータは、図面同期処理出力部２４に送られる。
【００４８】
図面同期処理出力部２４では、図面誘導処理部２３からの誘導印の表示動作信号を、図面データ処理部２２から送られる図面データに付与して生成された誘導印付き図面データ（誘導印の表示動作が付与された図面データ）に、映像視認範囲処理部２６から送られる扇型視認範囲のデータを同期して付与する。これにより、誘導印を基点として映像再生画面の視認範囲と映像の視認方向を表示する扇型視認範囲が付与された図面データが生成され、Ｗｅｂ表示処理部２０に送られる。  
【００４９】
Ｗｅｂ表示処理部２０では、同期再生出力処理部１３から送られるリンクデータのはられた映像データと、この映像データと映像再生時間同期部１４により同期された図面同期処理出力部２４からの誘導印付き図面データ（誘導印の表示動作データ、扇型視認範囲データが付与された図面データ）とを組み合わせて（映像データの進行地点に対して図面上の誘導印で示す進行地点対応するように組み合わせて）、これを利用者端末１に送信する。
【００５０】
利用者端末１では、図面上を誘導印が、進行、停止、後退、方向変換することを可能とするとともに、誘導印のそのような動作に同期して映像が再生され、しかもその映像の再生されている方向と扇型視認範囲を、図面上において誘導印を中心とした視認方向及び視認角度として表示可能である。
【００５１】
なお、リンクデータのはられた映像データに図面データを付与しない場合は、同期再生出力処理部１３から、リンクデータのはられた映像データを、Ｗｅｂ表示処理部２０に直接、送信する。
【００５２】
なお、Ｗｅｂ表示処理部２０は、インターネットを介して利用者端末１との入力データ及び出力データのやりとりを行ういわば「入出力部」としての機能を有するとともに、レイヤーリンク対応誘導サーバー２において生成した「リンクデータのはられた映像データ」、或いは「リンクデータのはられた映像データにさらに図面データが同期して付与されて成るデータ」を、前述のとおり利用者端末１にインターネットを介して送信し、Ｗｅｂ表示部５で映像画面として表示可能なように処理する。
【００５３】
ところで、映像データファイル（例．「銀座通り」の映像データファイル）は、例えば進行方向の側方を撮影して得られる映像データ（映像フレーム）が複数枚から構成される。或いは、全方位撮影カメラで撮影して得られる全方位映像の複数の映像データ（映像フレーム）から構成される。
【００５４】
道路や店舗内を移動しながら撮影した側面映像では、映像の再生にあわせ被写体が映像フレーム（再生画面）の一端側から現れ、映像フレームを横方向に移動し、時間の経過とともに映像フレームの他端側から消える。全方位映像における側面映像（全方位映像のうち進行方向の側方の映像）も同様である。
【００５５】
このような複数の映像フレームを有する映像データファイルに対応しレイヤーデータファイルが前述のように別途、作成され、レイヤーデータベースに記憶されている。レイヤーデータファイルに記憶されているリンクデータは、レイヤーリンク処理部１０でリンク用のレイヤーに付与され、レイヤー再生部１２でリンクレイヤーフレームとして再生される。                          
【００５６】
さらに、同期再生出力処理部１３で、映像フレームにリンクレイヤーフレームが同期してはられる。映像データに対してリンクデータがはられる構成として、次の２つの構成を説明する。
【００５７】
第１の構成を図２で説明する。図２の上段は、映像再生部７で再生された一連の映像フレーム２７を示し、中段は、レイヤー再生部１２で再生された一連のリンクレイヤーフレームを示し、下段は、同期再生出力部で同期された一連の映像フレーム２７と一連のリンクレイヤーフレーム２８から成るリンク付き映像フレーム２９を示す。
【００５８】
図２において、一連の映像フレーム２７には、例として、デパートのある階に、エスカレータ３０で上がると、ショーケース３１が配置され、しかも天井に「東売場」という看板３２がかかっている東売場が最初に確認できる映像フレーム２７ｔから最後に確認できる映像フレーム２７ｔが示されている。
【００５９】
このような一連の映像フレーム２７のうち、所定の被写体（例．東売場）が現れて最初に確認できる時点（始点）Ｔｓから、その被写体が消える寸前に最後に確認できる時点（終点）Ｔｆまでの時間ｔの経過中に、一連の映像フレーム２７ｔが存在する。この一連の映像フレーム２７ｔに対応する、一連のリンクレイヤーフレーム２８ｔは、それぞれのほぼ全体の領域にリンク３３がはられるような構成とする。
【００６０】
このようにリンク３３がはられるようなリンクデータがレイヤーデータベース部８に記憶されており、これが抽出されレイヤーリンク処理部１０でリンク用レイヤーに付与されリンクレイヤーデータが生成される。そして、このリンクレイヤーデータが、映像フレーム２７ｔと同期してレイヤー再生部１２でリンクレイヤーフレーム２８ｔとして再生される。さらに同期再生出力処理部１３で重ねられ、これによって各映像フレーム２７ｔにリンク３３がはられ、リンク付き映像フレーム２９ｔの構成となる。
【００６１】
このような構成であると、例えば、リンク３３のはられた映像データ２９ｔを利用者端末１のＷｅｂ表示部５で表示し、リンク３３のはられた被写体であるデパートの売場が表示されている限り、デパートの売場が表示されている映像フレーム２７のリンク３３をマウスでクリックすれば、その売場に関連するホームページやＷｅｂカメラによる詳しい情報を得ることができる。
【００６２】
第２の構成を図３で説明する。図３の上段は、映像再生部７で再生された一連の映像フレーム３４を示し、中段は、レイヤー再生部１２で再生された一連のリンクレイヤーフレーム３５を示し、下段は、同期再生出力部で同期された一連の映像フレーム３４と一連のリンクレイヤーフレーム３５から成るリンク付き映像フレーム３６を示す。
【００６３】
第２の構成は、映像フレーム３４の複数の被写体３７、例えば、複数の建物３７ａ〜３７ｅのそれぞれの領域にリンク３８ａ〜３８ｅがはられるようにリンクデータが生成されている。このようなリンクデータがレイヤーリンク処理部１０でリンク用レイヤーに付与されリンクレイヤーデータが生成される。そして、このリンクレイヤーデータが、映像フレーム３４と同期してレイヤー再生部１２でリンクレイヤーフレーム３５として再生される。
【００６４】
即ち、映像データファイルを構成する複数の映像フレーム３４（例．１００枚の映像フレーム）の各フレームに対応してリンクレイヤーフレーム３５（例．１００枚のレイヤーデータフレーム）があり、映像再生部７とレイヤー再生部１２においてそれらが互いに時刻Ｔ１、Ｔ２、Ｔ３と同期して再生され、さらに同期再生出力処理部１３で重ねられ、これによって各映像フレーム３４にリンク３８がはられリンク付き映像フレーム３６が生成される。
【００６５】
このようにリンク３８が映像フレーム３４にはられると、利用者は、リンク３８のはられた映像フレーム３６を利用者端末１のＷｅｂ表示部５で表示し、リンク３８のはられた被写体である所望の建物３７ａの領域をマウスでクリックすれば、その建物３７ａに関連するホームページやＷｅｂカメラによる詳しい情報を得ることができる。このようなリンクのはり方は、道路の進行方向の側方映像において特定の建物や土地にリンクをはることに適している。
【００６６】
（作用）
本発明に係る映像レイヤーリンク対応映像誘導システムの作用を、利用者が本システムを利用する操作手順（操作フロー）に従って、以下に説明する。本発明に係る映像レイヤーリンク対応映像誘導システムの操作手順として、大別し、次の３つの操作態様に分けて説明する。
（１）第１の操作態様
利用者が、特定した街路等を選択して進行経路を決定する態様。
（２）第２の操作態様
利用者が、出発地と目的地を選択して最短距離の進行経路を決定する態様。
（３）オプションとしての操作態様
第１又は２の操作態様を前提として、さらに他の機能をオプションとして加えた態様。
【００６７】
＜第１の操作態様＞  
第１の操作態様（特定した街路等を具体的に選択して進行経路を決定する場合）を図１〜３を参照して、以下に説明する。
【００６８】
（イ）利用者は、利用者端末１の入力部３の操作により、インターネット及びレイヤーリンク対応誘導サーバー２のＷｅｂ表示処理部２０を介してデータ検索部９に、所望の映像データファイル（以下、例として、「銀座通り」の映像データファイル）の選択指令信号を送信する。
【００６９】
（ロ）データ検索部９は、映像データの選択指令信号を受けると、この選択指令信号に基づいて検索指令信号を、映像データベース部６、レイヤーデータベース部８、音声データベース部１７、文字データベース部１９に送信し、選択指令に対応する映像データファイル、リンクデータファイル、音声データファイル、文字データファイル、図面データ（地図データ）ファイルを検索する。
【００７０】
（ハ）図面データベース部２１から「銀座通り」の図面データ（実際は地図データ）ファイルを抽出すると、これを、図面データ処理部２２、図面同期処理出力部２４、Ｗｅｂ表示処理部２０から、インターネットを介して、利用者端末１の出力部４に送信し、図面（「銀座通り」の地図）をＷｅｂ表示部５で表示する。
【００７１】
（ニ）利用者は、マウスを操作して、Ｗｅｂ表示部５で表示された図面上で誘導印を銀座通りを西方向に進行させる誘導操作指令信号を、入力部３からＷｅｂ表示処理部２０を介して図面誘導処理部２３に送信する。
【００７２】
（ホ）図面誘導処理部２３では、誘導操作指令信号に基づいて誘導印の表示動作信号を生成する。そして、この誘導印の表示動作信号を、映像再生時間同期部１４からの同期信号により映像再生部７の映像と同期させて、図面同期処理出力部２４に送る。
（ヘ）図面同期処理出力部２４では、図面誘導処理部２３からの誘導印の表示動作信号と、図面データ処理部２２から送信される図面データが合わせられ、図面上に所望の方向へ進行する誘導印を付与する。そして、この進行する誘導印の表示動作が付与された図面データは、図面同期処理出力部２４からＷｅｂ表示処理部２０に送られる。
【００７３】
（ト）一方、映像データベース部６から「銀座通り」の映像データファイルを抽出すると、これを映像再生部７に送る。
（チ）映像再生部７は、映像データファイルの一連の映像データを映像フレームとして再生し、これを同期再生出力処理部１３に送る。
【００７４】
なお、映像の再生スピードの変更（進行・停止・後退）は、利用者端末１の入力部３から再生スピードの変更を入力し、その入力信号は、Ｗｅｂ表示部処理部２０を経由し、映像再生部７に送られ再生スピードが変更される。一方、映像再生部７から再生スピードの変更信号が映像再生時間同期部１４を経由して図面誘導処理部２３の誘導印の進行スピードと同期する。     
【００７５】
（リ）また、レイヤーデータベース部８から「銀座通り」のリンクデータファイルを抽出すると、これをレイヤーリンク処理部１０に送る。
（ヌ）レイヤーリンク処理部１０は、リンクデータファイルのリンクデータをリンク用レイヤーの所定の範囲に付与し、これをレイヤー再生部１２に送る。
【００７６】
（ル）レイヤー再生部１２は、リンクレイヤーデータをリンクレイヤーフレームとして再生し、同期再生出力処理部１３に送る。
（ヲ）同期再生出力処理部１３は、映像フレームにリンクレイヤーフレームを同期して重ね、リンク付き映像データ（図２、３を参照）としてＷｅｂ表示処理部２０に送る。
（ワ）Ｗｅｂ表示処理部２０は、同期再生出力処理部１３からの映像と同期したリンク付き映像データと、図面同期処理出力部２４からの誘導印の表示動作の付与された図面データとを合わせる。    
【００７７】
（カ）誘導印の表示動作の付与された図面データに同期したリンク付き映像データは、Ｗｅｂ表示処理部２０から、インターネットを介して利用者端末１の出力部４に送られ、Ｗｅｂ表示部５で表示される。この映像画面は、「銀座通り」を西方向に進行した際に、側方の店舗街の情景が表示されるとともに、誘導印が進行する銀座通りの図面が表示される。そして、図面上の誘導印の表示地点から側方を見た映像画面が表示される。
【００７８】
（ヨ）利用者が、Ｗｅｂ表示された映像画面中の所望の店舗をマウスでクリックすると、その店舗にはられたリンクにより、その店舗に関連するホームページ又はＷｅｂ写真等の情報が自動的に利用者端末１にダウンロードされＷｅｂ表示部５で表示可能である。                                              
【００７９】
＜第２の操作態様＞
第２の操作態様（出発地と目的地を選択して最短距離の進行経路を決定する場合）を、図１及び図７を参照して、以下に説明する。
【００８０】
（イ）入力スタートする。
（ロ）利用者は、利用者端末により、出発地（Ａ地点）と目的地（Ｃ地点）を選択し、この選択指令（信号）を、Ｗｅｂ表示部５を介して経路処理部３９に送信する。この出発地（Ａ地点）と目的地（Ｂ地点）の選択には次の２通りの態様がある。
【００８１】
１つは、利用者端末で、出発地（Ａ地点）と目的地（Ｃ地点）のそれぞれの具体的な名称（地名）を入力して選択する。他の１つは、利用者が利用者端末１からＷｅｂ表示処理部２０、データ検索部６を介して、図面データベース２１から所望の地域の図面データを検索し、この図面データをＷｅｂ表示部５で表示する。そして、Ｗｅｂ表示部５で表示で表示された図面上で、出発地（Ａ地点）と目的地（Ｃ地点）をクリックして選択する。
【００８２】
（ハ）経路処理部３９は、出発地（Ａ地点）と目的地（Ｃ地点）の選択指令に基づき、図面データベース部２１の経路ブロック別の始点データベース（Ａ地点とＣ地点の座標の数値データ）を利用して、Ａ地点からＣ地点に向かうときの最短距離と方向を計算する。
【００８３】
（ニ）この計算結果に基づいて、進行経路（通過経路の道のり表）を確定し、確定した進行経路データを、経路処理部３９から図面誘導処理部２３に送る。
【００８４】
（ホ）図面誘導処理部２３は、進行経路データをデータ検索部９に送信する。データ検索部９は、映像データベース部６から、選択された進行経路に対応する映像を抽出する。この映像データは映像再生部７に送られる。なお、データ検索部９は、レイヤーデータベース部８から、選択された進行経路に対応するリンクデータを抽出するが、この点は第１の操作態様と同様である。
【００８５】
（ヘ）映像再生時間同期部１４は、映像再生部７からの映像データを受けて、映像データ同期信号を生成し、これを図面誘導処理部２３に送る。
（ト）、（チ）映像再生部からの映像は、第１の操作態様で説明したとおり、レイヤー再生部１２からのレイヤーリンクデータと、同期処理出力部１３で合わせられてＷｅｂ表示処理部２０に送られ、利用者端末１でＷｅｂ表示される。
【００８６】
（リ）図面誘導処理部２３では、経路処理部３９からの進行経路データに基づき図面誘導経路表示データを生成する。
（ヌ）さらに、図面誘導処理部２３では、誘導印の表示動作信号を、映像再生時間同期部１４からの同期信号により映像再生部７の映像と同期させて誘導経路（表示データ）上に合わせて生成する。
（ル）さらに図面誘導処理部２３は誘導操作指令信号に基づいて誘導印の誘導を開始し、これらのデータは、図面同期処理出力部２４に送る。
【００８７】
図面同期処理出力部２４では、図面誘導処理部２３からの誘導印の表示動作信号と、図面データ処理部２２から送信される図面データが合わせ、図面上に所望の方向へ進行する誘導印を付与し、このデータを図面同期処理出力部２４からＷｅｂ表示処理部２０に送る。
【００８８】
そして、このデータがＷｅｂ表示処理部２０で、同期再生出力処理部１３を介して送られてくるリンク付き映像データと合わされて、誘導印付き図面データの付与されたリンク付き映像データとして利用者端末１に送られ、Ｗｅｂ表示部５で表示され利用者の利用に供せられる。
【００８９】
このように、出発地と目的地を指定すると、その間の最短の進行経路を図面データベースの座標数値データを基に自動的に算出して確定し、その進行経路を構成するブロック毎に映像データファイルを自動的に抽出して、映像データに同期して、進行経路の図面上（地図上）の誘導印の進行地点、方向を算出して表示する。
【００９０】
従って、利用者は、出発地と目的地（始点と終点）さえ指定して選択すれば、利用者端末１のＷｅｂ表示処理部２０において、自動的に進行経路に沿った映像を見ることができるとともに、同じ画面で誘導印が進行している図面を見ることができる。
【００９１】
なお、この第２の操作態様でも、前述の第１の操作態様と同様に、道路走行中の道路側面映像の再生や百貨店の売場を回遊する映像再生時に道路側面の店舗や百貨店の売場の映像が現れた場合に、その映像上に映し出されている店舗の部分や売場のホームページやＷｅｂカメラのＷｅｂページにリンクがはられ、このリンクを押すとその店舗や売場のホームページやライブカメラ画面を表示する。さらに、経路の案内及び経路上にある対象物を音声で案内することを可能とする。
【００９２】
なお、図７中、（ワ）〜（タ）は、全方位映像の方向及び視認範囲の制御に関する作用であるが、これは、次のオプション態様において説明する。
【００９３】
＜オプション態様＞
次に、第１又は第２の操作態様を前提として、いくつかの機能をオプションとして加えた場合の態様ついて説明をする。
【００９４】
音声データ、文字データの表示：
まず、リンク付き映像データに加えて、音声データと文字データをＷｅｂ表示可能な場合について説明する。
【００９５】
（イ）前述の通り、データ検索部９は、映像データファイルの選択指令信号を受けると、この選択指令信号に基づいて検索指令信号を、映像データベース部６、レイヤーデータベース部８、音声データベース部１７、文字データベース部１９に送信し、選択指令に対応する映像データファイル、リンクデータファイル、音声データファイル、文字データファイル、図面データ（地図データ）ファイルを検索する。
【００９６】
（ロ）音声データベース部１７は、音声データを抽出して音声処理部１６に送る。
（ハ）文字データベース部１９は、文字データを抽出して文字情報処理部１８に送る。
（ニ）映像再生部７から、映像フレームの再生時刻に係る信号を時間制御部１５が受けて、この信号を音声処理部１６と文字情報処理部１８に送る。
【００９７】
（ホ）時間制御部１５により、映像フレームの再生時刻に係る信号に同期するように、音声処理部１６と文字情報処理部１８は、それぞれ音声データと文字データをＷｅｂ表示処理部２０に送信する。
（ヘ）Ｗｅｂ表示処理部２０は、前述のリンク付き映像データ（図２、３参照）に加えて、映像データファイル（上記の例では「銀座通り」の映像データファイル）に対応する音声データ及び文字データが加えられ、これらを、インターネットを介して利用者端末１の出力部４に送信する。
【００９８】
（ト）利用者端末１では、リンク付き映像データに、映像データと音声データが加えられたデータを、Ｗｅｂ表示部５に表示するとともに、音声出力機器で音声表示する。これにより、利用者は、図面上で「銀座通り」に沿って誘導印を進行させながら、その側方の店舗街の映像を表示し、さらに映像フレームに同期した音声出力ガイドと文字による案内表示のサービスを受けることができる。
【００９９】
全方位映像データからの表示：
次に、映像データが全方位カメラで撮影して得られた３６０°周囲の映像データ、即ち「全方位映像データ」であり、映像視認範囲を制御できる場合について、説明する。
【０１００】
（イ）映像データが全方位カメラで撮像されて取得された全方位映像データの場合に、第１又は第２の操作態様において、Ｗｅｂ表示処理部２０から全方位映像データが利用者端末１に送信され（図７中の（ト）参照）、Ｗｅｂ表示部５で全方位映像が表示される。
【０１０１】
（ロ）利用者は、表示された全方位映像のうち所定の視認範囲方向の映像を選択するためにマウスを操作すると、この操作信号（全方位映像のうちの一部を選択する指令信号）が、入力部３からＷｅｂ表示処理部２０を介して方向同期部２５に送られる。この操作信号により、方向同期部２５では、全方位映像のうち選択された映像部分に対応する視認範囲方向を計算し、方向確定し（図７中の（ワ）、（カ）参照。）、この確定した視認範囲の方向データを、映像視認範囲処理部２６に送る。
【０１０２】
（ハ）この方向データに基づいて、映像視認範囲処理部２６では、扇型視認範囲データを生成し図面同期処理出力部２４に送る。ここで、扇型視認範囲データとは、全方位映像のうちの所定の一定の視認角度の範囲（扇型視認範囲）を絞り込み、その範囲に対応する視認地点（後で図面データと同期された場合には誘導印）を基点として映像再生画面の視認範囲と映像の視認方向を決め、そして表示するデータである。
【０１０３】
（ニ）図面同期処理出力部２４は、扇型視認範囲データを図面データ処理部２２から送られる図面データ、さらに図面誘導処理部２３から送られる進行経路上の誘導印の表示動作信号に合わせる。これにより、誘導印を基点として扇型視認範囲を表示する図面データが生成され、Ｗｅｂ表示処理部２０に送られる。
【０１０４】
（ホ）Ｗｅｂ表示処理部２０は、リンク付き映像データに、映像データに同期した誘導印付き図面データ（誘導印の表示動作データ及び扇型視認範囲データ付き図面データ）を合わせる。そして、リンク付き映像データと誘導印付き図面データとから成るデータを、Ｗｅｂ表示処理部２０から、利用者端末１の出力部４に送信する。
【０１０５】
（ヘ）利用者端末１では、Ｗｅｂ表示処理部２０から送られたデータをＷｅｂ表示部５で表示するが、この場合、図面上の経路を誘導印が進行、停止、後退させしながら、その誘導印の動作に同期して、映像を再生し、しかもその再生されている映像の方向と視認角度範囲を図面上の誘導印とともに表示することを可能とする（図７中の（ヨ）、（タ）参照）。
【０１０６】
その他：
次に、利用者端末１における利用者のリンク利用のための操作の手順等について図４で説明する。入力スタートし（図４（イ））、入力部３から前述のとおりデータ検索部９に選択指令信号を送り、図面データベース部２１から所望の図面データファイルを抽出し、これをＷｅｂ表示処理部２０を介して利用者端末のＷｅｂ表示部５に表示する。
【０１０７】
この図面において目標地点に行くまでの、始点及び終点を指定する（図４（ロ）、（ハ））と、本発明に係るシステムがスタートし（図４（ニ））、互いに同期した映像データとリンクレイヤーデータが再生され（図４（ホ）〜（ト））、Ｗｅｂ表示部に表示される。
【０１０８】
目標被写体が映像上に登場した場合に（図４（チ））、その被写体部分にリンク（リンク範囲）が表示がされ（図４（リ）、図２、３参照）、そのリンク（リンク範囲）を、マウスでクリックすると（図４（ヌ））、そのリンクで関連づけられているホームページをＷｅｂ表示部５に表示する（図４（ル））。
【０１０９】
図５は、同様に利用者端末１における利用者の操作等についてのフローを説明する図であり、これは図５とほぼ同じであるが、映像データとリンクレイヤーデータの映像の再生開始に同期して図面誘導のスタートを行うフローを示す（図５（ヲ））。
【０１１０】
図６は、同様に利用者端末１における利用者の操作等についてのフローを説明する図であり、これは図６とほぼ同じであるが、映像再生が開始すると、案内音声を出力する（図６（ヌ））とともに、案内文字を表示する（図６（ル））フローを示す。
【０１１１】
以上、本発明に係る映像レイヤーリンク対応映像誘導システムを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【０１１２】
本発明に係る映像レイヤーリンク対応映像誘導システムは、以上のように、街や施設の走行において撮影される映像にリンクをはり、その施設のホームページやライブカメラを映像上から可能とするから、実写映像により街や施設を回遊しその映像上に映し出される店舗や売場のＷｅｂカメラを実際に見ることができ、よりリアルな疑似体験やショッピングを可能とするＷｅｂショッピングの分野、不動産紹介などの分野での活用に適している。
【図面の簡単な説明】
【０１１３】
【図１】本発明の映像レイヤーリンク対応映像誘導システムの実施例の全体構成を示すブロック図である。
【図２】本発明の実施例においてリンクのはられる構成の一例を説明する図である。
【図３】本発明の実施例においてリンクのはられる構成の別の一例を説明する図である。
【図４】本発明の実施例の一部フロー図である。
【図５】本発明の実施例の一部フロー図である。
【図６】本発明の実施例の一部フロー図である。
【図７】本発明の実施例の一部フロー図である。
【符号の説明】
【０１１４】
１  利用者端末                           
２  レイヤーリンク対応映像誘導サーバー   
３  入力部                               
４  出力部                               
５  Ｗｅｂ表示部                         
６  映像データベース部                   
７  映像再生部                           
８  レイヤーデータベース部               
９  データ検索部                     
１０  レイヤーリンク処理部             
１２  レイヤー再生部                   
１３  同期再生出力処理部               
１４  映像再生時間同期部                  
１５  時間制御部                       
１６  音声処理部                       
１７  音声データベース部               
１８  文字情報処理部                   
１９  文字データベース部               
２０  Ｗｅｂ表示処理部                 
２１  図面データベース部               
２２  図面データ処理部                 
２３  図面誘導処理部                   
２４  図面同期処理出力部               
２５  方向同期部                       
２６  映像視認範囲処理部               
２７、３４  映像フレーム                   
２９、３６  リンク付き映像フレーム         
２８、３５  リンクレイヤーフレーム         
３０  エスカレータ                     
３１  ショーケース                     
３２  看板                             
３３、３８  リンク
３９  経路処理部                         
【図１】
2005316914.tif 000003
【図２】
2005316914.tif 000004
【図３】
2005316914.tif 000005
【図４】
2005316914.tif 000006
【図５】
2005316914.tif 000007
【図６】
2005316914.tif 000008
【図７】
2005316914.tif 000009